(57)【特許請求の範囲】
【請求項１】
鋼矢板を半割にした形状を有し、板状の基部と、該基部から所定角度で立上がる立上がり部の先端部に連設された隣接する鋼矢板との接合継手部からなる１対の板状部を、各基部が所定の間隔をおいて一線上に整列しかつ立上がり部が該整列した基部の同一側に位置するようにして配置し、ゴム・合成樹脂などからなる可撓止水部材を該一対の基部を跨ぐようにして各基部の該立上がり部が位置する側に可撓止水部材固定手段により固定し、該継手の下端部に先端沓を接合した鋼矢板の継手において、該先端沓を２つの先端沓部分で形成し、該２つの先端沓部分を前記板状部の基部間の該所定の間隔にほぼ等しい間隔で継手の幅方向に整列させて配置し、該２つの先端沓部分の上端部をそれぞれ該板状部の基部の下端部に溶接するとともに、１対の連結板を該２つの先端沓部分に跨るようにして配置し、前記２つの先端沓部分の間隔を維持しかつ鋼矢板が幅方向に縮む方向に変位できる空間を維持した状態で外部から塞ぐようにしてそれぞれを該２つの先端沓部分の継手幅方向に延長する２つの面に仮溶接したことを特徴とする鋼矢板の継手。
【発明の詳細な説明】
【０００１】
【発明の属する技術分野】
本発明は、鋼矢板の継手に関し、特に地盤変動等に伴う鋼矢板の変位に追随して伸縮、撓み変形をすることができる継手に関する。
【０００２】
【従来の技術】
鋼矢板は、その両側端の継手部を互いに連結して地中に打設し、連結する鋼矢板壁を形成することによって、その前後の土砂の崩壊を防止するもので、岸壁、護岸、土留め擁壁、止水壁、堤防等建設工事全般にわたって広く使用されている。
【０００３】
鋼矢板は、地震による地盤変位が生じた場合、連結横方向への伸縮変形、撓み変形をしないため鋼矢板の係合の離脱あるいは鋼矢板の破壊を生じるおそれがある。そこで、本出願人は、さきに特開昭６０−６２３２５号公報に記載される鋼矢板の継手を提案した。この継手は、隣接する鋼矢板との接合継手部を有する１対の板状部を跨ぐようにしてゴム・合成樹脂などからなる可撓止水部材を設けることにより、地盤変動等に伴う鋼矢板の変位に追随して伸縮・撓み変形をすることが可能であり、これによって鋼矢板の損傷、破壊を防止することができる。
【０００４】
また、この継手の打設に際して可撓止水部材に亀裂等の損傷が生じることを防止するために多くの提案がなされている。
【０００５】
鋼矢板の継手を施工する場合は、継手の上端部を振動式杭打ち機（バイブロハンマー）等で荷重を加えて押込み埋設するが、その際可撓止水部材の下端部の亀裂損傷を防ぐとともに継手の土中への押込みを安全に先導し継手の、埋設を容易にするため、図５に斜視図で示す先端沓Ａを継手の下端部に装着する。先端沓Ａは、箱型の形状を有し、継手の板状部の基部と平行な２つの面ａの下部には内側に傾斜する傾斜面ｂが形成されている。また先端沓Ａの両側部ｃには上下方向に溝ｄが切られている。この溝ｄに継手の板状部の各基部を挿入し、先端沓Ａの両側部ｃに固定したワイヤ（図示せず）を継手の基部に設けたワイヤ取付け部（図示せず）に取付けることにより先端沓Ａを継手に固定する。継手を打設した後ワイヤを切断し継手本体を所定の高さだけ引上げて板状部の基部を先端沓Ａの溝ｄから外すことにより、可撓止水部材は地盤変動に伴って伸縮することができる。
【０００６】
上記継手においては、継手打設後に先端沓を吊下げているワイヤを切断し、継手を所定の高さだけ引上げて板状部の基部を先端沓の溝から取外すための作業が必要であり、施工に手間がかかるという欠点がある。
【０００７】
そこで、本出願人は、特願２００１−２３９１２９号をもって、図６に斜視図を示す先端沓を提案した。この先端沓Ｂは、２つの部分ｆ−１、ｆ−２に分割した形状の部材で形成されており、これら２つの部材ｆ−１、ｆ−２は相互に仮溶接されている。先端沓Ｂの上端部の一側が継手の板状部ｇの基部ｈの下端部内側面に溶接されている。この構成により、継手打設後に地盤変動等により鋼矢板が変位する場合は、仮溶接により連結されている先端沓の２つの部材が切断されて継手は幅方向に伸長することができるので、ワイヤ切断、板状部基部の引上げ作業が不要となり、継手の施工が容易になる。
【０００８】
【発明が解決しようとする課題】
上記特願２００１−２３９１２９号明細書記載の先端沓は、施工完了時において２つの部材が相互に仮溶接されているので、その後地盤変動により鋼矢板が幅方向に伸長する方向に変位する場合は仮溶接が外れて先端沓の２つの部材は相互に離間するようにして鋼矢板の変位に追随することができるが、鋼矢板の変位が幅方向に縮む変位である場合は、先端沓は鋼矢板の変位に追随することができず、鋼矢板の破壊や損傷を生じるおそれがある。
【０００９】
本発明は、上記各鋼矢板の継手における先端沓の問題点にかんがみなされたものであって、ワイヤ切断、板状部基部の引上げ作業が不要であり、しかも地盤変動に伴う鋼矢板の変位が幅方向に伸縮いずれの変位であっても鋼矢板の変位に追随して変位することができる先端沓を備えた鋼矢板の継手を提供しようとするものである。
【００１０】
【課題を解決するための手段】
上記目的を達成する本発明にかかる鋼矢板の継手は、鋼矢板を半割にした形状を有し、板状の基部と、該基部から所定角度で立上がる立上がり部と、該立上がり部の先端部に連設された隣接する鋼矢板との接合継手部からなる１対の板状部を、各基部が所定の間隔をおいて一線上に整列しかつ立上がり部が該整列した基部の同一側に位置するようにして配置し、ゴム・合成樹脂などからなる可撓止水部材を該１対の基部を跨ぐようにして各基部の該立上がり部が位置する側に可撓止水部材固定手段により固定し、該継手の下端部に先端沓を接合した鋼矢板の継手において、該先端沓を２つの先端沓部分で形成し、該２つの先端沓部分を前記板状部の基部間の該所定の間隔にほぼ等しい間隔で継手の幅方向に整列させて配置し、該２つの先端沓部分の上端部をそれぞれ該板状部の基部の下端部に溶接するとともに、１対の連結板を該２つの先端沓部分に跨るようにして配置し、前記２つの先端沓部分の間隔を維持しかつ鋼矢板が幅方向に縮む方向に変位できる空間を維持した状態で外部から塞ぐようにしてそれぞれを該２つの先端沓部分の継手幅方向に延長する２つの面に仮溶接したことを特徴とする。
【００１１】
【作用】
本発明によれば、先端沓を２つの先端沓部分で形成し、２つの先端沓部分を板状部の基部間の所定の間隔にほぼ等しい間隔で継手の幅方向に整列させて配置し、２つの先端沓部分の上端部をそれぞれ板状部の基部の下端部に溶接するとともに、１対の連結板を２つの先端沓部分に跨るようにして配置し、それぞれを２つの先端沓部分の継手幅方向に延長する２つの面に仮溶接したので、継手打設後に地盤変動等により鋼矢板が幅方向に伸長する方向に変位する場合はもとより、鋼矢板が幅方向に縮む方向に変位する場合でも、仮溶接により連結されている先端沓の２つの部分が切断されて先端沓の２つの部分は相互に接近する方向に変位することが可能であり、鋼矢板の変位に追随して変位することができる。
【００１２】
【発明の実施の形態】
以下添付図面を参照して本発明の実施の形態について説明する。
図４は本発明にかかる継手の１実施形態の継手本体を示す横断面図である。
鋼矢板の継手１は、Ｕ形鋼矢板を半割にした形状を有し、板状の基部３と、基部３から所定角度で立上がる立上がり部４と、立上がり部４の先端部に連設された隣接する鋼矢板との接合継手部５からなる１対の板状部２を、各基部３が所定の間隔Ｄをおいて一線上に整列しかつ立上がり部４が整列した基部３の同一側に位置するようにして配置し、ゴム・合成樹脂などからなる可撓止水部材６を１対の基部３を跨ぐようにして各基部３の立上がり部４が位置する側に可撓止水部材固定手段を構成するボルト８、ナット９、押え板１５により固定してなるものである。
【００１３】
本実施形態において、可撓止水部材６は幅方向両端部６ｂと中央部の２つの膨出部６ａからなり、ボルト８、ナット９を堅締することにより、押え板１５は可撓止水部材６の両端部６ｂを基部３に対して押付けて固定する。
【００１４】
一方の基部３の可撓止水部材６が配置される側にはＬ形の保護板１１の立上がり部１１ａが溶接により固定されており、保護板１１の可撓止水部材保護部１１ｂは可撓止水部材６と平行に延長して可撓止水部材６の外側を覆っている。他方の基部３（図中右手）端部には保護板１２が溶接により固定されており、保護板１２は可撓止水部材６を覆うようにして反対側の基部３のボルト８付近に達するように延長している。
【００１５】
図１〜図３は同実施形態の先端沓を示すもので、図１は先端沓の継手本体への取付け状態を示す継手本体下部の斜視図、図２は先端沓の斜視図、図３は図１のＡ−Ａ断面図であるである。
【００１６】
先端沓２０は全体として三角筒を継手の軸方向に２分割した形状の先端沓部分２１、２１からなり、各先端沓部分２１は、図２に示すように、頂板２２、頂板２２の両側から斜め内側下方に延長する２枚の傾斜板２３、２３の３枚の板からなり、傾斜板２３、２３はその上縁部において頂板２２の下面両側部に溶接固定され、その下縁部において相互に溶接固定されており、全体として三角筒の形状を呈している。各先端沓部分２１、２１の軸手幅方向外側端縁には閉塞板２５、２５が溶接されており、先端沓部分２１、２１内への土砂の浸入を防止している。
【００１７】
これら２つの先端沓部分２１、２１は板状部２、２の基部３、３間の所定の間隔Ｄにほぼ等しい間隔で継手の幅方向に整列して配置され、２つの先端沓部分２１、２１の上端部を構成する頂板２２、２２はそれぞれ板状部２、２の基部３、３の下縁３ａ、３ａに溶接固定されている。
【００１８】
１対の平板からなる連結板２４、２４がそれぞれ２つの先端沓部分２１、２１に跨るようにしてその両側に配置され、各連結板２４、２４は２つの先端沓部分２１、２１の継手幅方向に延長する２つの面を構成する傾斜面２３、２３のそれぞれにたとえば上下２箇所において仮溶接されている。
【００１９】
なお、可撓止水部材６、押え板１５および保護板１１、１２の下端部は基部３の先端沓２０を溶接する部分の上方で終端しており、溶接部分にはこれらの部材は存在しないので、これらの部材が先端沓２０の上端部を溶接する際に障害となることはない。
【００２０】
先端沓の形状は上記三角筒状のものに限らず、中実の三角柱としてもよい。また断面３角形の形状に限らず、たとえば図６に示すような上記特願２００１−２３９１２９号明細書記載の底面が水平方向に延長する形状等他の形状のものも使用することができる。
【００２１】
また、可撓止水部材６の中央部の形状も上記実施形態のものに限らず、たとえば上記特願２００１−２３９１２９号に記載の中央部を折畳む形状の可撓止水部材等他の形状のものも使用することができる。
【００２２】
【発明の効果】
以上述べたように、本発明によれば、先端沓を２つの先端沓部分で形成し、該２つの先端沓部分を板状部の基部間の該所定の間隔にほぼ等しい間隔で継手の幅方向に整列させて配置し、２つの先端沓部分の上端部をそれぞれ板状部の基部の下端部に溶接するとともに、１対の連結板を２つの先端沓部分に跨るようにして配置し、それぞれを２つの先端沓部分の継手幅方向に延長する２つの面に仮溶接したので、地盤変動等により鋼矢板が幅方向に伸長する方向に変位する場合はもとより、鋼矢板が幅方向に縮む方向に変位する場合でも先端沓の２つの部分は相互に接近する方向に変位することが可能であり、鋼矢板の変位に追随して変位することができる。またワイヤの切断、継手本体の引上げ等の施工時の作業は一切不要であり、継手の施工が容易である。
【図面の簡単な説明】
【図１】本発明の継手の１実施形態を示す斜視図である。
【図２】先端沓の斜視図である。
【図３】図１中Ａ−Ａ断面図である。
【図４】継手本体の横断面図である。
【図５】従来の鋼矢板継手に使用される先端沓の斜視図である。
【図６】特願２００１−２３９１２９号明細書記載の先端沓を示す斜視図である。
【符号の説明】
１  鋼矢板の継手
２  板状部
３  基部
４  立上がり部
２０  先端沓
２１  先端沓部分
２４  連結板
【図１】
0003655601.tif 000002
【図２】
0003655601.tif 000003
【図３】
0003655601.tif 000004
【図４】
0003655601.tif 000005
【図５】
0003655601.tif 000006
【図６】
0003655601.tif 000007